(57)【要約】【課題】天井面の複数箇所から音を出力して演出効果や臨場感のある音を出力でき、部屋に配置したテレビや家具等が出力した音の障害となることを防止でき、天井面にスピーカ装置が露出せず、外観が良く、励振器による振動が周囲に伝わることを防止でき、高音質の音を出力できる音出力天井を提供する。【解決手段】部屋の天井面を構成する複数枚の天井板１の夫々に励振器２を設ける。音信号入力手段から出力した音信号を複数の励振器２に入力することで、各励振器２により天井面の複数箇所にある天井板１を夫々独立して振動させて室内に音を出力する。音信号入力手段はステレオ又はサラウンドの複数チャンネルの音信号を出力可能である。音信号入力手段から各励振器２に対して出力する音信号を複数チャンネルの音信号のいずれかに切り替えるチャンネル切替手段を備える。【選択図】図１
2008271427.tif 000002
【特許請求の範囲】
【請求項１】
部屋の天井面を複数枚の天井板で構成し、該天井面の異なる複数箇所に位置する各天井板に励振器を設け、音信号入力手段から出力した音信号を前記複数の励振器に入力することで、各励振器により天井面の複数箇所にある天井板を夫々独立して振動させて室内に音を出力する音出力天井であって、音信号入力手段はステレオ又はサラウンドの複数チャンネルの音信号を出力可能であって、該音信号入力手段から各励振器に対して出力する音信号を前記複数チャンネルの音信号のいずれかに切り替えるチャンネル切替手段を備えて成ることを特徴とする音出力天井。
【請求項２】
前記音信号入力手段から出力される複数チャンネルの音信号を各励振器に割り当てた出力パターンを複数備え、チャンネル切替手段として、前記複数の出力パターンのいずれかに切替えることで音信号入力手段から各励振器に入力されるチャンネルを設定するパターン切替手段を備えて成ることを特徴とする請求項１に記載の音出力天井。
【請求項３】
部屋の天井面を複数枚の天井板で構成し、該天井面の異なる複数箇所に位置する各天井板に励振器を設け、音信号入力手段から出力した音信号を前記複数の励振器に入力することで、各励振器により天井面の複数箇所にある天井板を夫々独立して振動させて室内に音を出力する音出力天井であって、音信号入力手段は、モノラル信号、ステレオ信号、サラウンド信号のうち２種以上を出力可能であって、該音信号入力手段から複数の励振器に対して出力する音信号を、前記モノラル信号又はステレオ信号又はサラウンド信号のいずれかに切り替えるモード切替手段を備えて成ることを特徴とする音出力天井。
【請求項４】
部屋の天井面を複数枚の天井板で構成し、該天井面の異なる複数箇所に位置する各天井板に励振器を設け、音信号入力手段から出力した音信号を前記複数の励振器に入力することで、各励振器により天井面の複数箇所にある天井板を夫々独立して振動させて室内に音を出力する音出力天井であって、音信号を出力する励振器の数を変更するための励振器出力数変更手段を備えて成ることを特徴とする音出力天井。
【請求項５】
部屋に居る人の有無、向き、位置、状態のいずれかを検知する人体検知手段を設け、前記チャンネル切替手段又はモード切替手段による音信号の切り替え、又は励振器出力数変更手段による音信号が供給される励振器の数の変更を、前記人体検知手段による検知に基づいて自動的に行うことを特徴とする請求項１乃至４のいずれか１項に記載の音出力天井。
【請求項６】
前記励振器とは別に、音信号入力手段から供給された音信号を出力するためのスピーカ装置を備えて成ることを特徴とする請求項１乃至５のいずれか１項に記載の音出力天井。
【発明の詳細な説明】
【技術分野】
【０００１】
本発明は部屋の天井面を振動して室内に音を出力する音出力天井に関する。
【背景技術】
【０００２】
従来から部屋の壁にスピーカ装置を取り付ける又は組み込む音響システムが知られているが、このように壁にスピーカ装置を設けると、部屋に配置したテレビや家具等がスピーカ装置から出力される音の障害となる恐れがあり、また壁とは別に設けたスピーカ装置が室内に露出するため、部屋の外観を阻害するという問題もある。
【０００３】
また、例えば特許文献１は天井に開口した作業口に作業口蓋を構成するスピーカ装置を設けたものであるが、このものも天井とは別に設けたスピーカ装置が外観を阻害し、またこの特許文献１は天井の複数箇所にスピーカ装置を設けていないため、複数のスピーカ装置で音を出力できず演出効果や臨場感が出ない。
【０００４】
また例えば特許文献２には浴室の作業口蓋の表面を構成する一枚の鋼板の裏面に複数の励振器を設けて作業口蓋をスピーカ装置としたものが開示されているが、このものは一枚の鋼板の裏面に複数の励振器を設けているために、励振器によって鋼板を振動させた時に、この振動が鋼板の他の励振器によって振動する部位に伝わり易く、音出力に悪影響を与える恐れがある。また部屋のレイアウトや聴取者の向きに合わせるなどの目的で、各スピーカ装置から出力される音信号を変更するには、その都度配線を変更する必要があり、各スピーカ装置から出力される音信号を容易に変更することができない。
【特許文献１】特開２００６−３３２８６１号公報
【特許文献２】特開２００６−１３３６３９号公報
【発明の開示】
【発明が解決しようとする課題】
【０００５】
本発明は上記従来の問題点に鑑みて発明したものであって、天井面の複数箇所から音を出力してサラウンドのような演出効果や臨場感のある音を出力でき、また部屋に配置したテレビや家具等が出力した音の障害となることを防止でき、また天井面にスピーカ装置が露出せず、外観が良く、また励振器による振動が周囲に伝わることを防止でき、また高音質の音を出力できる音出力天井を提供することを課題とする。
【課題を解決するための手段】
【０００６】
上記請求項１の音出力天井は、部屋の天井面を複数枚の天井板１で構成し、該天井面の異なる複数箇所に位置する各天井板１ａに励振器２を設け、音信号入力手段から出力した音信号を前記複数の励振器２に入力することで、各励振器２により天井面の複数箇所にある天井板１ａを夫々独立して振動させて室内に音を出力する音出力天井であって、音信号入力手段はステレオ又はサラウンドの複数チャンネルの音信号を出力可能であって、該音信号入力手段から各励振器２に対して出力する音信号を前記複数チャンネルの音信号のいずれかに切り替えるチャンネル切替手段を備えて成ることを特徴とする。
【０００７】
このような構成により、天井面の複数箇所から音を出力でき、またこの場合、天井から音を出力するので部屋に配置したテレビや家具等が出力した音の障害となることを防止できる。また天井面は励振器２によって振動する部分も含めて全て同様の外観を有する天井板１によって構成できるため、外観が良い。さらには、天井板１ａの夫々に励振器２を設けることで、励振器２による振動が周囲に伝わることを防止でき、またこれにより一枚の天井板１ａを独立して振動させ高音質の音を出力でき、尚且つこの振動が他の天井板１ａによる音の出力に悪影響を与えることも防止できる。また、各励振器２に任意のチャンネルの音信号を入力することができるため、ステレオ又はサラウンドの複数チャンネルの音信号を部屋に居る聴取者１４の向きに合わせて各励振器２に設定して、音像の位置を聴取者１４にとって最適な位置に設定するなどでき、聴取者１４や部屋のレイアウトなどに合わせて最適な音を出力できる。
【０００８】
また、前記音信号入力手段から出力される複数チャンネルの音信号を各励振器２に割り当てた出力パターンを複数備え、チャンネル切替手段として、前記複数の出力パターンのいずれかに切替えることで音信号入力手段から各励振器２に入力されるチャンネルを設定するパターン切替手段を備えることが好ましい。上記チャンネルの切り替えが予め設定された出力パターンから任意の出力パターンを選択するだけで行うことができ、容易である。
【０００９】
また、請求項３の音出力天井は、部屋の天井面を複数枚の天井板１で構成し、該天井面の異なる複数箇所に位置する各天井板１ａに励振器２を設け、音信号入力手段から出力した音信号を前記複数の励振器２に入力することで、各励振器２により天井面の複数箇所にある天井板１ａを夫々独立して振動させて室内に音を出力する音出力天井であって、音信号入力手段は、モノラル信号、ステレオ信号、サラウンド信号のうち２種以上を出力可能であって、該音信号入力手段から複数の励振器２に対して出力する音信号を、前記モノラル信号又はステレオ信号又はサラウンド信号のいずれかに切り替えるモード切替手段を備えて成ることを特徴とする。
【００１０】
このような構成により、請求項１と同様の構成から奏し得る作用効果に加えて、モード切替手段により、音信号入力手段から複数の励振器２に対して出力する音信号をモノラル信号又はステレオ信号又はサラウンド信号のいずれかに切り替えることができ、聴取者１４や部屋のレイアウトなどに合わせて最適な音を出力できる。
【００１１】
また、請求項４の音出力天井は、部屋の天井面を複数枚の天井板１で構成し、該天井面の異なる複数箇所に位置する各天井板１ａに励振器２を設け、音信号入力手段から出力した音信号を前記複数の励振器２に入力することで、各励振器２により天井面の複数箇所にある天井板１ａを夫々独立して振動させて室内に音を出力する音出力天井であって、音信号を出力する励振器２の数を変更するための励振器出力数変更手段を備えて成ることを特徴とする。
【００１２】
このような構成により、請求項１と同様の構成から奏し得る作用効果に加えて、励振器出力数変更手段により音信号を出力する励振器２の数を変更でき、聴取者１４や部屋のレイアウトなどに合わせて最適な音を出力できる。
【００１３】
また、部屋に居る人の有無、向き、位置、状態のいずれかを検知する人体検知手段１５を設け、前記チャンネル切替手段又はモード切替手段による音信号の切り替え、又は励振器出力数変更手段による音信号が供給される励振器２の数の変更を、前記人体検知手段１５による検知に基づいて自動的に行うものであることが好ましい。この場合は、人体検知手段１５による検知結果に基づいて、部屋に居る聴取者１４にとって最適となる音を自動的に出力できる。
【００１４】
また、前記励振器２とは別に、音信号入力手段から供給された音信号を出力するためのスピーカ装置２９を備えることが好ましい。この場合は、スピーカ装置から出力される音と各励振器２によって天井から出力される音とを組み合わせてより演出効果や臨場感のある音を出力することができる。
【発明の効果】
【００１５】
本発明では、天井面の複数箇所から音を出力してサラウンドのような演出効果や臨場感のある音を出力でき、またこの場合、天井から音を出力するので部屋に配置したテレビや家具等が出力した音の障害となることを防止できる。また天井面は励振器によって振動する部分も含めて全て同様の外観を有する天井板によって構成されるため、外観が良い。さらに、天井板の夫々に励振器を設けることで、励振器による振動が周囲に伝わることを防止でき、またこれにより一枚の天井板を独立して振動させ高音質の音を出力でき、尚且つこの振動が他の天井板による音の出力に悪影響を与えることも防止できる。
【００１６】
また、チャンネル切替手段により各励振器に任意のチャンネルの音信号を選択的に入力し、例えばステレオ又はサラウンドの複数チャンネルの音信号を部屋に居る聴取者の向きに合わせて各励振器に割り振って設定して、音像の位置を聴取者にとって最適な位置に設定したり、モード切替手段により音信号入力手段から複数の励振器に対して出力する音信号をモノラル信号又はステレオ信号又はサラウンド信号のいずれかに切り替えたり、励振器出力数変更手段により音信号を出力する励振器の数を変更することができ、聴取者や部屋のレイアウトなどに合わせて最適な音を出力できる。
【発明を実施するための最良の形態】
【００１７】
以下、本発明を添付図面に示す実施形態に基づいて説明する。図１は本実施形態の一例の音出力天井を適用した建物の一室を示す説明図であり、部屋の天井に複数設けた励振器２（エキサイタ）により天井面の平面視における複数箇所から室内に音を出力できるようになっている。
【００１８】
上記部屋の天井面は図２に示すように天井板１を複数枚並べて天井下地用構造材４に取り付けることで構成してある。これら天井面を構成する天井板１としては、
励振器２により直接振動させられて音を発生させる音出力用天井板１ａと、音を発生させない普通天井板１ｂのうちいずれかが使用され、天井面の大部分は普通天井板１ｂで構成してあり、天井面の複数箇所を部分的に音出力用天井板１ａで構成してある。
【００１９】
音出力用天井板１ａは、ケナフ材、合板、その他の木材、鉄、アルミニウム等の金属、ロックウール材、石膏等で形成してある。音出力用天井板１ａの上面の外周には矩形状をした枠体３を固着してあり、枠体３はアルミニウム、鉄等の金属や、樹脂、木材等で形成してある。音出力用天井板１ａの上面の枠体３に囲まれた部分に前記励振器２を設けてあり、また枠体３の上端部に囲まれた部分を覆うように裏板１７を設けてある。そして音出力用天井板１ａ、枠体３、励振器２、裏板１７で音出力用天井板ユニットＡを構成し、これにより音信号が励振器２に入力されることで振動板としての音出力用天井板１ａを直接振動させて室内に向けて音を発生するようにしてある。なお励振器２は音出力用天井板１ａ一枚に対して１個だけ設けられる。
【００２０】
音出力用天井板１ａ及び普通天井板１ｂを取り付ける天井下地用構造材４は一定間隔で平行に並設した長尺な梁４ａからなり、これら梁４ａの下面側に掛け渡すようにして音出力用天井板１ａ及び普通天井板１ｂは取付けられる。梁４ａに上記音出力用天井板ユニットＡを取付けるには、梁４ａの下面側に矩形状をした固定用枠５を固着し、この固定用枠５の下面側に矩形状の枠体３の上面側をスペーサー用インシュレータ６を介在させてねじ具１２により固着する。固定用枠５はアルミニウム、鉄等の金属や、樹脂、木材等で形成してある。このように枠体３を固定用枠５にスペーサー用インシュレータ６を介在させて固着することで、音出力用天井板１ａの音を発生させるための振動が固定用枠５側に伝わらず、音出力用天井板１ａを振動させて音を発生させるに当たって高音質の音を発生させることができる。
【００２１】
また普通天井板１ｂは上記音出力用天井板１ａとは縁をきった状態で梁４ａに取り付けられる。普通天井板１ｂを梁４ａに取り付けるには、普通天井板１ｂの上面の端部に固着した野縁２６を梁４ａに上端部を固着した吊り木２７の下端部に固着する。
【００２２】
梁４ａに固定した固定用枠５に音出力用天井板１ａの上面に設けた枠体３を取付けるため、隣接する普通天井板１ｂに音出力用天井板１ａを取付ける必要がなく、このため、音を発生させる音出力用天井板１ａの振動が普通天井板１ｂ側に伝わらないように、図２に示すように音出力用天井板１ａと普通天井板１ｂとの間に隙間を設けて両者が非接触の状態とすることができ、音出力用天井板１ａが音を発生させるために振動した際、該振動が隣接する普通天井板１ｂに伝わらず、この点でも天井面の一部を構成する音出力用天井板１ａを振動させて音を発生させるに当たって高音質の音を発生させることができる。なお、上記普通天井板１ｂ及び音出力用天井板１ａで構成された天井面の全体には、前述の音出力用天井板１ａと普通天井板１ｂとの間の隙間を含めてクロス等の天井面仕上げ材２８が貼着される。
【００２３】
図１に示すように平面視において矩形の天井面の対向する一対の端縁間の中間を通過する線を中心線ａとし、中心線ａと平行な方向を前後方向とすると、上記励振器２（音出力用天井板ユニットＡ）は天井面において前記中心線ａを中心に線対称となるよう前後に１対ずつ計４個設けてある。また平面視矩形の天井面の前後の端縁間の中間を通過する線を中心線ｂとすると、前記前後一対の励振器２は中心線ｂを中心にして線対称となっており、これにより部屋に居る聴取者１４が四方の壁のうちいずれの壁の方を向いたとしても、聴取者にとっては天井面における前後の左右両側部分に励振器２が位置することとなる。
【００２４】
図３は本例の音出力天井のブロック図である。音出力天井は、室内に設置されるステレオ装置やテレビ等の音源（図示せず）が接続される音信号入力手段としてのアンプ装置７と、前記天井に複数設けた音出力用天井板ユニットＡを備えている。
【００２５】
アンプ装置７は、音源に接続されて音信号が入力される入力部８と、入力部８から入力された音信号を処理する音処理部９と、音処理部９を介して入力された音信号を増幅するアンプ部１０と、音処理部９及びアンプ部１０を制御する制御部１１を備え、音処理部９及びアンプ部１０で処理した音信号を前記各励振器２に割り振って出力する。なおアンプ部１０と各励振器２を接続する配線１３は例えば天井裏などを通して室内に露出しないように配線される。また本例のアンプ装置７は１個のアンプ部１０から４個の励振器２に対して音信号を割り振って入力するものである。
【００２６】
アンプ装置７の音処理部９は音源から入力された音信号をモノラル信号又はステレオ信号又はサラウンド信号のいずれかの音信号とした上でアンプ部１０に入力するものであり、この音処理部９による処理は制御部１１により切り替え可能としてある。これによりアンプ装置７はアンプ部１０を介してモノラル信号又はステレオ信号又はサラウンド信号を出力して４個の励振器２に入力することで、各励振器２に対応する音出力用天井板１ａを直接且つ独立して振動させ、室内にモノラル又はステレオ又はサラウンドのいずれかの音を選択的に出力できるようになっている。即ち、アンプ装置７からモノラル信号を出力するモノラルモードの場合には、図４に示すように各励振器２に対して１チャンネルのモノラル信号を入力し、天井面全体としてモノラル音声を出力する。またアンプ装置７からステレオ信号を出力するステレオモードの場合には、図５に示すように右側音信号（Ｒｃｈ）及び左側音信号（Ｌｃｈ）からなる２チャンネルの音信号を励振器２に対して入力し、天井面全体としてステレオ音声を出力する。またアンプ装置７からサラウンド信号を出力するサラウンドモードの場合は、図６に示すように右側音信号（Ｒｃｈ）、左側音信号（Ｌｃｈ）、サラウンド右側音信号（サラウンドＲｃｈ）、サラウンド左側音信号（サラウンドＬｃｈ）からなる４チャンネルの音信号を励振器２に対して入力し、天井面全体としてサラウンド音声を出力する。
【００２７】
アンプ装置７は、ステレオ信号を出力する場合には、制御部１１によりアンプ装置７から各励振器２に対して出力する音信号を、、ステレオ関係にある右側音信号（Ｒｃｈ）及び左側音信号（Ｌｃｈ）の２チャンネルのうちいずれか１つの音信号に切り替えられるようにしてある。また同様に、サラウンド信号を出力する場合には、制御部１１によりアンプ装置７から各励振器２に対して出力する音信号を、右側音信号（Ｒｃｈ）、左側音信号（Ｌｃｈ）、サラウンド右側音信号（サラウンドＲｃｈ）、サラウンド左側音信号（サラウンドＬｃｈ）の４チャンネルのうちいずれか一つの音信号に切り替えられるようにしてある。
【００２８】
ここで上記制御部１１による出力音信号の他チャンネルへの切り替えは、予め設定された複数の出力パターンからいずれか１つの出力パターンを選択することで行われる。
【００２９】
ステレオ信号を出力する場合の出力パターンとしては、聴取者１４の向き毎に異なる出力パターンを図５（ａ）〜（ｄ）に示す４種類備えており、各出力パターンは部屋に居る聴取者１４から見て前方左側及び後方左側に位置する励振器２に左側音信号（Ｌｃｈ）が入力され且つ前方右側及び後方右側に位置する励振器２に右側音信号（Ｒｃｈ）が入力されるように設定されている。即ち聴取者１４が部屋の四方の壁のうち第１の壁側を向いた場合の図５（ａ）に示す出力パターンと、第２の壁側を向いた場合の図５（ｂ）に示す出力パターンと、第３の壁側を向いた場合の図５（ｃ）に示す出力パターンと、第４の壁側を向いた場合の図５（ｄ）に示す出力パターンを備えている。
【００３０】
またサラウンド信号を出力する場合の出力パターンとしては、聴取者１４の向き毎に異なる出力パターンを図６（ａ）〜（ｄ）に示す４種類備えており、各出力パターンは部屋に居る聴取者１４から見て前方左側に位置する励振器２に左側音信号（Ｌｃｈ）、後方左側に位置する励振器２にサラウンド右側音信号（サラウンドＬｃｈ）、前方右側に位置する励振器２に右側音信号（Ｒｃｈ）、後方右側に位置する励振器２にサラウンド右側音信号（サラウンドＲｃｈ）を入力するように設定されている。即ち聴取者１４が部屋の四方の壁のうち第１の壁側を向いた場合の図６（ａ）に示す出力パターンと、第２の壁側を向いた場合の図６（ｂ）に示す出力パターンと、第３の壁側を向いた場合の図６（ｃ）に示す出力パターンと、第４の壁側を向いた場合の図６（ｄ）に示す出力パターンを備えている。そして制御部１１はこれらステレオ信号を出力する複数の出力パターン及びサラウンド信号を出力する複数の出力パターンから任意の出力パターンを選択し、該出力パターンに基づいてアンプ装置７から各励振器２に音信号を出力する。
【００３１】
またアンプ装置７は、モノラル信号、ステレオ信号、サラウンド信号を出力する場合に、制御手段によりアンプ部１０から全ての励振器２のうち任意の励振器２にのみ音信号を出力することが可能となっており、これにより音信号を出力する励振器２の数を変更可能としてある。従って任意に選択された１個の励振器２にのみ音信号を入力して対応する音出力用天井板１ａを振動したり、または任意に選択された２個又は３個の励振器２にのみ音信号を入力して対応する音出力用天井板１aを振動したり、また４個全ての励振器２に音信号を入力して全ての音出力用天井板１aから音を出力することができる。
【００３２】
上記制御部１１によるモノラル、ステレオ、サラウンドのモード切り替え、及び、右側音信号（Ｒｃｈ）、左側音信号（Ｌｃｈ）、サラウンド右側音信号（サラウンドＲｃｈ）、サラウンド左側音信号（サラウンドＬｃｈ）のチャンネル（出力パターン）の切り替え、及び、音信号を出力する励振器２の数の変更は、コントローラ１８を操作することで行えるようになっている。即ち本実施形態では制御部１１及びコントローラ１８により、モード切替手段、チャンネル切替手段（パターン切替手段）、励振器出力数変更手段を構成している。なおコントローラ１８から操作信号を制御部１１に送る手段としては有線であっても良いし、無線であっても良い。
【００３３】
上記音出力天井により室内に音を出力する場合は、聴取者１４がコントローラ１８を操作することにより、アンプ装置７から出力する音信号をモノラル信号又はステレオ信号又はサラウンド信号のうち任意の音信号に設定すると共に、振動させる励振器２を設定する。またアンプ装置７から出力される音信号がステレオ信号又はサラウンド信号のいずれかである場合には、コントローラ１８を操作することにより、図５（ａ）〜（ｄ）又は図６（ａ）〜（ｄ）に示す出力パターンから所望の出力パターンを選択して、ステレオ又はサラウンドの複数チャンネルの音信号を各励振器２に出力される音信号として設定し、この後、音源から音を出力する。これにより部屋の天井面においては、任意の励振器２が振動して対応する音出力用天井板１ａが駆動し、しかして室内には天井面からモノラル又はステレオ又はサラウンドの音が出力されることとなる。
【００３４】
このように本例の音出力天井は、天井面の複数箇所から音を出力して演出効果や臨場感のある音を出力できる。また天井から音を出力するので部屋に配置したテレビや家具等が出力した音の障害となることを防止できる。また天井面は励振器２によって振動する部分も含めて全て同様の外観を有する天井板１によって構成されるため、従来のように天井とは別にスピーカ装置を設けたものと比較して外観が良い。さらに、励振器２による振動が周囲の普通天井板１ｂに伝わることを防止でき、またこれにより一枚の音出力用天井板１ａを独立して振動させ、高音質の音を出力できる。
【００３５】
また、チャンネル切替手段により各励振器２に任意のチャンネルの音信号を選択的に入力し、ステレオ又はサラウンドの複数チャンネルの音信号を部屋に居る聴取者１４の向きに合わせて各励振器２に割り振って設定して、音像の位置を聴取者１４にとって最適な位置に設定したり、またモード切替手段により音信号入力手段から複数の励振器２に対して出力する音信号をモノラル信号又はステレオ信号又はサラウンド信号のいずれかに切り替えたり、励振器出力数変更手段により音信号を出力する励振器２の数を変更することができ、聴取者１４や部屋のレイアウトなどに合わせて最適な音を出力できる。また上記チャンネルの切り替えを予め設定された出力パターンから任意の出力パターンを選択するだけで行うことができ、容易である。
【００３６】
次に上記とは異なる他例の音出力天井について説明する。なお以下の説明では上記一例の音出力天井と同一の構成については同一の番号を付与し、重複する説明は省略する。本例の音出力天井には、図７及び図８に示すように各励振器２を設けた部屋に居る人の向きを検知する人体検知手段１５として室内を撮影するカメラ装置１５ａを備えている。アンプ装置７の制御部１１はカメラ装置で撮影した映像データに基づいて聴取者１４となる室内に居る人が四方の壁のうちいずれかの壁側を向いているかを検知し、該検知結果に基づいて前記予め設定された出力パターンの中から聴取者１４にとって最適な出力パターンを選択し、各励振器２に入力される音信号を任意のチャンネルの音信号に自動的に設定する。これにより制御部１１により音像の位置を聴取者１４にとって最適な位置に配置できる。
【００３７】
なお本例では人体検知手段１５をカメラ装置１５ａとしたが、焦電センサなどであっても良い。また本例では人体検知手段１５により聴取者１４の向きを検知し、該聴取者１４の向きに応じて各励振器２に入力される音信号を決定したが、人体検知手段１５として、人体の有無、又は人体の位置、又は人体の状態、又はこれらの組み合わせを検知するものを用い、該人体検知手段１５の検知結果に基づいて各励振器２に入力される音信号を決定しても良い。また本例では人体検知手段１５の検知結果に基づいてチャンネル切替手段による音信号の切り替えを行ったが、人体検知手段１５の検知結果に基づいてモード切替手段による音信号の切り替え、又は励振器出力数変更手段による音信号が供給される励振器２の数の変更を行っても良い。
【００３８】
次に更に他例の音出力天井について説明する。なお以下の説明では上記一例の音出力天井と同一の構成については同一の番号を付与し、重複する説明は省略する。本例の音出力天井は上記励振器２とは別にスピーカ装置２９を設けている。該スピーカ装置２９は低音領域を出力するためのウーファーであって室内の任意の場所に設置される。スピーカ装置２９は各励振器２を接続したアンプ部１０に接続してあり、スピーカ装置２９には、各励振器２同様、音源から入力部８、音処理部９、アンプ部１０を介して出力された音信号が入力され、室内に音として出力される。このように励振器２とは別に、音信号入力手段から供給された音信号を出力するためのスピーカ装置２９を備えることで、サラウンドモードにおいてウーファーからなるスピーカ装置２９から低音領域の音を出力するなどでき、各励振器２によって天井から出力される音と組み合わせてより演出効果や臨場感のある音を出力することができる。なお、本例は上記他例の音出力天井に適用しても良いものとする。
【００３９】
また、上記各例では部屋の天井の４箇所に励振器２を設けたが、励振器２は天井面の２以上の複数箇所に設けてあれば良いものとする。また音信号入力手段は、モノラル信号、ステレオ信号、サラウンド信号を出力可能なものとしたが、これら３種のうち２種の音信号を出力可能なものとしても良い。
【図面の簡単な説明】
【００４０】
【図１】本発明の実施の形態の一例の音出力天井を設けた部屋の説明図である。
【図２】同上の部屋の天井部分の断面図である。
【図３】同上の音出力天井のブロック図である。
【図４】モノラル信号を出力する場合における各励振器２から出力される音信号を模式的に示した説明図である。
【図５】（ａ）〜（ｄ）はステレオ信号を出力する場合において各出力パターンにおいて各励振器２から出力される音信号を模式的に示した説明図である。
【図６】（ａ）〜（ｄ）はサラウンド信号を出力する場合において各出力パターンにおいて各励振器２から出力される音信号を模式的に示した説明図である。
【図７】他例の音出力天井を設けた部屋の説明図である。
【図８】同上の音出力天井のブロック図である。
【図９】更に他例の音出力天井のブロック図である。
【符号の説明】
【００４１】
１  天井板
１ａ  音出力用天井板
２  励振器
１５  人体検知手段
【図１】
2008271427.tif 000003
【図２】
2008271427.tif 000004
【図３】
2008271427.tif 000005
【図４】
2008271427.tif 000006
【図５】
2008271427.tif 000007
【図６】
2008271427.tif 000008
【図７】
2008271427.tif 000009
【図８】
2008271427.tif 000010
【図９】
2008271427.tif 000011